【手続補正書】
【提出日】平成18年8月2日(2006.8.2)
【手続補正１】
【補正対象書類名】明細書
【補正対象項目名】特許請求の範囲
【補正方法】変更
【補正の内容】
【特許請求の範囲】
【請求項１】  グリコール成分とジカルボン酸成分との反応生成物から形成されたコポリエステルを含んでなる繊維であって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含み；且つ該コポリエステルが０．３６〜０．５８のＩ．Ｖ．を有する繊維。
【請求項２】  前記コポリエステルがアンチモン触媒物質を含まない請求項１に記載の繊維。
【請求項３】  前記コポリエステルが、２０モル％以下の、アミノアルコール、アミノ酸、ジアミン、ラクタム及びそれらの混合物からなる群から選ばれた少なくとも１種のアミン化合物の存在下に形成される請求項１に記載の繊維。
【請求項４】  前記繊維が二成分バインダー繊維であり、該二成分繊維が２５〜９０重量％のポリマーコア部分；ならびに１０〜７５重量％の、グリコール成分とジカルボン酸成分との反応生成物からなるシース（被覆）部分を含んでなる請求項１に記載の繊維。
【請求項５】  前記コア部分が、ポリエチレンテレフタレート、ポリシクロヘキシレンジメチレンテレフタレート、ポリトリメチレンテレフタレート、ポリブチレンテレフタレートまたはそれらの混合物からなる群から選ばれたポリマー物質である請求項４に記載の二成分繊維。
【請求項６】  前記繊維が、ポリエステルと別のポリエステル、ポリオレフィンまたは官能化ポリオレフィンとの溶融ブレンドである請求項１に記載の繊維。
【請求項７】  グリコール成分とジカルボン酸成分及び２０モル％以下のアミン化合物の反応生成物から形成されたコポリエステルを含んでなるバインダー繊維であって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含み；且つ該コポリエステルが０．３６〜０．５８のＩ．Ｖ．を有する繊維。
【請求項８】  前記アミン化合物がアミノアルコール、アミノ酸、ジアミン、ラクタム及びそれらの混合物からなる群から選ばれる請求項７に記載のバインダー繊維。
【請求項９】  前記ジカルボン酸成分が、テレフタル酸、イソフタル酸、ナフタレンジカルボン酸または１，３−もしくは１，４−シクロヘキサンジカルボン酸のエステルまたはエステル混合物である請求項７に記載のバインダー繊維。
【請求項１０】  前記コポリエステルのＩ．Ｖ．値が０．４０〜０．５２の範囲である請求項７に記載のバインダー繊維。
【請求項１１】  前記コポリエステルが、コポリエステルの重量に基づき１０〜３５ppm のＴｉ、０〜７０ppm のＭｎ、０〜９０ppm のＣｏを含む触媒系及び４０〜９０ppm のＰを含む触媒阻害剤の存在下において形成される請求項７に記載のバインダー繊維。
【請求項１２】  前記コポリエステルが如何なるアンチモン触媒物質も含まない請求項７に記載のバインダー繊維。
【請求項１３】  前記バインダー繊維が一成分バインダー繊維である請求項７に記載のバインダー繊維。
【請求項１４】  前記繊維が、並列配置を有する多成分バインダー繊維である請求項７に記載のバインダー繊維。
【請求項１５】  前記繊維が多成分繊維であり且つ前記ポリエステルが結束層定着剤である請求項７に記載のバインダー繊維。
【請求項１６】  前記バインダー繊維が熱、超音波周波数及び無線周波数によって活性化され得る請求項７に記載のバインダー繊維。
【請求項１７】  前記バインダー繊維がミクロデニールサイズ〜２０デニールの範囲のデニール値を有し且つ前記バインダー繊維が一成分または二成分バインダー繊維である請求項７に記載のバインダー繊維。
【請求項１８】  前記バインダー繊維、同一Ｉ．Ｖ．を有するポリエチレンテレフタレート繊維よりも濃い色相に染色されることができる請求項７に記載のバインダー繊維。
【請求項１９】  ポリエステルまたはコポリエステルと請求項７に記載されたバインダー繊維との溶融ブレンドであって、その組み合わせが、同一Ｉ．Ｖ．を有するポリエチレンテレフタレートポリマーよりも高濃度の添加剤を取り込むことができる溶融ブレンド。
【請求項２０】  他のポリエステルと請求項７に記載されたバインダー繊維との溶融ブレンドであって、該繊維がポリエチレンテレフタレート繊維より濃い色相に染色されることができる溶融ブレンド。
【請求項２１】  グリコール成分とジカルボン酸成分との反応生成物から形成されたコポリエステルを含んでなる繊維であって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、イソフタル酸またはその無水物、酸塩化物もしくはエステルを少なくとも１０モル％〜５０モル％及び炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含む繊維。
【請求項２２】  前記コポリエステルがアンチモン触媒物質を含まない請求項２１に記載の繊維。
【請求項２３】  前記コポリエステルが、少なくとも２０モル％以下の、アミノアルコール、アミノ酸、ジアミン、ラクタム及びそれらの混合物からなる群から選ばれた少なくとも１種のアミン化合物の存在下に形成される請求項２１に記載の繊維。
【請求項２４】  前記繊維が二成分バインダー繊維であり、該二成分繊維が、ポリマーコア部分２５〜９０重量％とグリコール成分とジカルボン酸成分の反応生成物からなるシース（被覆）部分１０〜７５重量％を含んでなる請求項２１に記載の繊維。
【請求項２５】  前記コア部分が、ポリエチレンテレフタレート、ポリシクロヘキシレンジメチレンテレフタレート、ポリトリメチレンテレフタレート、ポリブチレンテレフタレート、ポリ乳酸またはそれらの混合物からなる群から選ばれたポリマー材料である請求項２４に記載の二成分繊維。
【請求項２６】  前記繊維がポリエステルと別のポリエステル、ポリオレフィンまたは官能化ポリオレフィンとの溶融ブレンドである請求項２１に記載の繊維。
【請求項２７】  グリコール成分とジカルボン酸成分及び２０モル％以下のアミン化合物の反応生成物から形成されるコポリエステルを含んでなるバインダー繊維であって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、イソフタル酸またはその無水物、酸塩化物もしくはエステルを少なくとも１０モル％〜５０モル％及び炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含む繊維。
【請求項２８】  前記アミン化合物がアミノアルコール、ジアミン、ラクタム及びそれらの混合物からなる群から選ばれる請求項２７に記載のバインダー繊維。
【請求項２９】  前記ジカルボン酸成分が、テレフタル酸、ナフタレンジカルボン酸または１，３−もしくは１，４−シクロヘキサンジカルボン酸のエステルまたはエステル混合物を少なくとも５０モル％含む請求項２７に記載のバインダー繊維。
【請求項３０】  前記コポリエステルのＩ．Ｖ．が０．４〜０．６６の範囲である請求項２７に記載のバインダー繊維。
【請求項３１】  前記コポリエステルが、コポリエステルの重量に基づき１０〜３５ppm のＴｉ、０〜７０ppm のＭｎ、０〜９０ppm のＣｏを含む触媒系及び４０〜９０ppm のＰを含む触媒阻害剤の存在下において形成される請求項２７に記載のバインダー繊維。
【請求項３２】  前記コポリエステルがアンチモン触媒物質を含まない請求項２７に記載のバインダー繊維。
【請求項３３】  前記バインダー繊維が一成分バインダー繊維である請求項２７に記載のバインダー繊維。
【請求項３４】  前記繊維が、並列配置を有する多成分バインダー繊維である請求項２７に記載のバインダー繊維。
【請求項３５】  前記繊維が多成分繊維であり且つ前記ポリエステルが結束層定着剤である請求項２７に記載のバインダー繊維。
【請求項３６】  前記バインダー繊維が熱、超音波周波数及び無線周波数によって活性化され得る請求項２７に記載のバインダー繊維。
【請求項３７】  前記バインダー繊維がミクロデニールサイズ〜２０デニールの範囲のデニール値を有し且つ前記二成分繊維が一成分または二成分バインダー繊維である請求項２７に記載のバインダー繊維。
【請求項３８】  前記バインダー繊維、同一Ｉ．Ｖ．を有するポリエチレンテレフタレート繊維よりも濃い色相に染色されることができる請求項２７に記載のバインダー繊維。
【請求項３９】  ポリエステルまたはコポリエステルと請求項２７に記載されたバインダー繊維との溶融ブレンドであって、その組み合わせが、同一のＩ．Ｖ．を有するポリエチレンテレフタレートポリマーよりも高濃度の添加剤を取り込むことができる溶融ブレンド。
【請求項４０】  他のポリエステルと請求項２７に記載されたバインダー繊維との溶融ブレンドであって、該繊維がポリエチレンテレフタレート繊維より濃い色相に染色されることができる溶融ブレンド。
【請求項４１】  グリコール成分とジカルボン酸成分との反応生成物から形成されたコポリエステルであって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含み；且つ該コポリエステルが０．３６〜０．５８のＩ．Ｖ．を有し且つ３５ppm 以下のＴｉを含む触媒系の存在下に形成されたものであるコポリエステル。
【請求項４２】  グリコール成分とジカルボン酸成分との反応生成物から形成されたコポリエステルであって、
該グリコール成分が、５〜６０モル％の範囲の量の１，３−または１，４−シクロヘキサンジメタノール及び４０〜９５モル％の範囲の量のエチレングリコールからなり；該ジカルボン酸成分が、イソフタル酸または無水物、酸塩化物もしくはエステルを少なくとも１０モル％〜５０モル％及び炭素数８〜１４の芳香族ジカルボン酸、炭素数４〜１２の脂肪族ジカルボン酸、炭素数８〜１２の脂環式ジカルボン酸の酸、無水物、酸塩化物またはエステルまたはそれらの混合物であるジカルボン酸成分を少なくとも５０モル％含み；且つ該コポリエステルが３５ppm 以下のＴｉを含む触媒系の存在下に形成されたものであるコポリエステル。